(57)【要約】【課題】  従来の茶濾し袋では、濾し袋本体内に茶葉類を収容した後、濾し袋本体の開口部を折返し蓋で閉塞するようにしているので、内部の茶葉類が表裏の濾材で圧迫されて十分に膨潤化されにくい（茶葉類エキスの抽出効率が悪い）。【解決手段】  上辺部に開口部１６を有し、内部に茶葉類収容部１７を有した正面視矩形の濾し袋本体１を備えるとともに、開口部１６の上辺部に、抽出容器Ｙの口縁部の外側に掛止される所定長さの掛止片２を連続して形成しており、該掛止片２を抽出容器口縁部の外側に掛止することで、茶葉類入り濾し袋本体１内を大きく膨らせた状態で茶葉類エキスを抽出し得るようにしている。【選択図】      図５
2007283084.tif 000002
【特許請求の範囲】
【請求項１】
上辺部に開口部（１６）を有し、内部に茶葉類（Ｐ）を収容し得る収容部（１７）を有した正面視矩形の濾し袋本体（１）を備えているとともに、
前記開口部（１６）の一方の上辺部に、抽出容器（Ｙ）の口縁部外側に掛止される所定長さの掛止片（２）を連続して形成している、
ことを特徴とする茶濾し袋。
【請求項２】
上辺部に開口部（１６）を有し、内部に茶葉類（Ｐ）を収容し得る収容部（１７）を有した正面視矩形の濾し袋本体（１）を備えているとともに、
前記開口部（１６）の対向する両上辺部に、それぞれ抽出容器（Ｙ）の口縁部外側に掛止される所定長さの掛止片（２，２）を連続して形成している、
ことを特徴とする茶濾し袋。
【請求項３】
請求項１又は２に記載の茶濾し袋において、
掛止片（２）は濾し袋本体（１）とは別体のものを使用し、該掛止片（２）の一端部（２１）を濾し袋本体（１）の開口部（１６）の上辺部に接着させている、
ことを特徴とする茶濾し袋。
【請求項４】
請求項１から３のいずれか１項に記載の茶濾し袋において、
掛止片（２）の外面側に、該掛止片（２）を抽出容器（Ｙ）の口縁部外面（Ｙａ）に接着させる剥離紙付き接着剤層（３）を付着させている、
ことを特徴とする茶濾し袋。
【請求項５】
請求項１から３のいずれか１項に記載の茶濾し袋において、
掛止片（２）に、該掛止片（２）を急須のような抽出容器（Ｙ）の注口（Ｙｂ）又は持ち手（Ｙｃ）等の突出部に引っ掛け得るスリット又は穴状の引掛部（４，５）を形成している、
ことを特徴とする茶濾し袋。
【発明の詳細な説明】
【技術分野】
【０００１】
本願発明は、濾し袋本体内に茶葉類を収容して、抽出容器内の熱湯中に茶葉類エキスを抽出するための茶濾し袋に関するものである。尚、本願の茶濾し袋は、茶葉類として日本茶・紅茶・コーヒー粉末等を扱えるものである。
【背景技術】
【０００２】
この種の一般的な茶濾し袋としては、図１８〜図２０に示すようなものがある。この図１８〜図２０に示す従来例の茶濾し袋は、耐水性及び水透過性を有する不織布製の濾材を使用している。そして、この茶濾し袋は、表材１１と裏材１２（図１９）とを底部１３（図１９）が連続する状態で折返すとともに、左右各側縁部１４，１４を熱溶着（熱溶着部１５，１５）して、正面視矩形の濾し袋本体１を形成している。この濾し袋本体１の上部には、長手方向のほぼ全幅に亘って開口部１６が形成されており、該開口部１６から濾し袋本体１の収容部１７（図１９）内に茶葉類Ｐを収容し得るようになっている。又、表材１１の上部には、開口部１６を閉塞する折返し蓋１９が形成されている一方、裏材１２の上部には、内折り部１８（図１９）が形成されている。尚、折返し蓋１９及び内折り部１８のそれぞれ左右両端部は、上記熱溶着部１５，１５で表材１１又は裏材１２に接着されている。
【０００３】
この従来例の茶濾し袋は、図１９（Ａ）の扁平状態（実際には内部の空気が排除されて極薄状態となっている）から、図１９（Ｂ）に示すように袋内部（収容部１７）を膨らませて収容部１７内に所定量の茶葉類Ｐを収容した後、図１９（Ｃ）に示すように折返し蓋１９を開口部１６上に被せることで、濾し袋本体１内に茶葉類Ｐを封入できる。そして、図１９（Ｃ）に示す茶葉類入り茶濾し袋は、例えば図２０に示すように急須等の抽出容器Ｙ内に収容し、熱湯Ｗを注ぐことによって熱湯Ｗ中に茶葉類エキスを抽出できる。
【０００４】
ところで、茶葉類Ｐ（例えば日本茶）は、抽出前は乾燥していて縮んでおり、熱湯Ｗ中に浸けることによって、図２０に鎖線図示（符号Ｐ′）するように水分を含んで膨潤化するようになる。そして、茶葉類Ｐは、茶葉類エキスを抽出する際に、水分（熱湯Ｗ）に接触する面積が広いほど（膨潤化するほど）茶葉類エキスの抽出効率が良くなるという性質を有している。
【０００５】
尚、この種の茶濾し袋の公知例としては、例えば実用新案登録第３１０１１９２号公報（特許文献１）に示されるものがある。
【０００６】
【特許文献１】実用新案登録第３１０１１９２号公報
【発明の開示】
【発明が解決しようとする課題】
【０００７】
ところで、図１８〜図２０に示す従来例の茶濾し袋では、茶葉類エキスの抽出時に茶葉類入り茶濾し袋全体を抽出容器Ｙ内の熱湯Ｗ中に浸漬する関係で、濾し袋本体１の開口部１６を折返し蓋１９で閉塞するようにしている。そして、図１９（Ｃ）に示すように、茶葉類入り濾し袋本体１の開口部１６に折返し蓋１９を被せた状態では、表材１１と裏材１２とが相互に引き寄せられて濾し袋本体１内の容積が減縮されるようになる。即ち、折返し蓋１９を被せると、濾し袋本体１の表材１１と裏材１２とが近接側に圧縮されて容積拡大側への拡がり代が乏しくなる。
【０００８】
このように、図１８〜図２０に示す従来例の茶濾し袋では、濾し袋本体１内の茶葉類Ｐが水分を吸収して膨潤化しようとしても、茶葉類Ｐが表材１１と裏材１２とで圧迫されてさほど膨潤化できず（茶葉類Ｐの熱湯Ｗに対する接触面積がさほど大きくならない）、従って、茶葉類エキスの抽出効率が悪いという問題があった。尚、このように茶葉類エキスの抽出効率が悪いと、おいしいお茶を抽出するのに、抽出時間を長くしたり（待ち時間が長くなるとともにお茶の温度が低くなる）、あるいは多量の茶葉類を濾し袋本体１内に収容する必要がある（不経済である）という問題が生じる。
【０００９】
そこで、本願発明は、上記した従来の問題点に鑑み、茶濾し袋内に茶葉類を収容して抽出容器内で茶葉類エキスを抽出する際の抽出効率を良好にし得るようにした茶濾し袋を提供することを目的としてなされたものである。
【課題を解決するための手段】
【００１０】
本願発明は、上記課題を解決するための手段として次の構成を有している。尚、本願発明は、茶葉類（日本茶・紅茶・コーヒー粉末等）を収容して、抽出容器内で茶葉類エキスを熱湯中に抽出するための茶濾し袋を対象にしている。
【００１１】
本願請求項１の発明
本願請求項１の発明の茶濾し袋は、上辺部に開口部を有し、内部に茶葉類を収容し得る収容部を有した正面視矩形の濾し袋本体を備えている。
【００１２】
茶濾し袋（特に濾し袋本体部分）の材料としては、一般に耐水性及び水透過性を有する不織布が使用される。又、この茶濾し袋は、表材と裏材とを底部が連続する状態で折返すとともに、左右各側縁部を熱溶着して、正面視矩形の濾し袋本体を形成している。尚、底部はガセット折りして濾し袋本体部分が膨らみ易くしたものが好ましい。
【００１３】
又、本願請求項１の茶濾し袋には、濾し袋本体の開口部の一方の上辺部に、抽出容器の口縁部の外側に掛止される所定長さの掛止片を連続して形成している。
【００１４】
この掛止片は、例えば図１８の従来例の茶濾し袋において、折返し蓋の両側縁部を表材（又は裏材）に熱溶着せずに上下自由状態で連続させた状態で設けたものでもよく（この場合は濾し袋本体と掛止片とが１枚ものの不織布で一体に連続している）、あるいは本願請求項３のように掛止片に濾し袋本体とは別材料を使用してもよい。
【００１５】
又、この掛止片は、出荷又は保管段階では濾し袋本体の表材又は裏材に沿って折畳んでおくことができる。その場合には、使用時に濾し袋本体の開口部の上方に立ち起こして使用する。尚、この掛止片は、濾し袋本体の開口部の上方に延出させた状態のままで梱包・出荷することもできる。
【００１６】
この掛止片は、例えば水で濡らすことで抽出容器（例えば急須や湯飲みコップ）の口縁部外面に付着させることができ、この掛止片付着状態で茶葉類入りの濾し袋本体を安定状態で支持できるようになっている。尚、この掛止片には、以下に説明する請求項４又は請求項５のように掛止片を抽出容器の口縁部外面に掛止するための手段を設けることができるが、この請求項１では該掛止片に対して特別な掛止手段を設けないものでもよい。
【００１７】
この請求項１の茶濾し袋は、次のように使用される。まず、濾し袋本体内に茶葉類を収容するには、掛止片を濾し袋本体の開口部上方に立ち起こし（掛止片を折畳んでいる場合）、濾し袋本体の開口部から収容部内に所要量の茶葉類を収容する。このとき、濾し袋本体の収容部及び開口部は、できるだけ大きく拡げておくとよい。次に、茶葉類入り濾し袋本体を抽出容器（例えば急須や湯飲みコップ）の開口から抽出容器内に落とし込み、掛止片を抽出容器の口縁部外側に適宜の手段（この請求項１では、例えば水で濡らす）で掛止すれば、この茶葉類入り茶濾し袋を抽出容器に対して抽出可能状態で装着できる。そして、抽出容器の開口から熱湯を注ぎ、濾し袋本体内の茶葉類から茶葉類エキスを熱湯中に抽出させる。尚、抽出容器内に熱湯を注いだ後に、抽出容器の開口に容器蓋を被せておくと、該容器蓋で掛止片を押さえることができるので、該掛止片が抽出容器内にずり落ちることがない。
【００１８】
上記のように茶葉類入り茶濾し袋を抽出容器に装着した状態では、濾し袋本体の開口部が大きく開放されたままであるが、濾し袋本体は縦向き姿勢に維持されているので、濾し袋本体内の茶葉類が開口部から溢れ出ることがない。又、このように茶葉類入り茶濾し袋の装着状態では、濾し袋本体の収容部の容積も大きい状態に維持されているので、抽出容器内の熱湯中に浸かっている茶葉類が濾材（表材及び掛止片）で圧迫されることがなく、従って茶葉類が水分を吸収して十分に膨潤化し得る状態になっている。そして、茶葉類が十分に膨潤化すると、該茶葉類に対する熱湯の接触面積が広くなり、茶葉類エキスの抽出効率が良好になるという機能が生じる。
【００１９】
本願請求項２の発明
本願請求項２の発明の茶濾し袋は、上辺部に開口部を有し、内部に茶葉類を収容し得る収容部を有した正面視矩形の濾し袋本体を備えているとともに、開口部の対向する両上辺部に、それぞれ抽出容器の口縁部外側に掛止される所定長さの掛止片を連続して形成している。
【００２０】
この請求項２の茶濾し袋と上記請求項１の茶濾し袋との違いは、請求項１のものでは開口部の一方の上辺部に掛止片を設けているのに対して、請求項２のものでは開口部の対向する両上辺部にそれぞれ掛止片を設けているところが異なっている。尚、この請求項２の茶濾し袋において、基本構造、各掛止片の構成等は上記請求項１のものを採用できる。
【００２１】
そして、この請求項２の茶濾し袋では、茶葉類入り濾し袋本体部分を抽出容器の開口から落とし込み、対向する２つの掛止片をそれぞれ抽出容器の口縁部外側の対向位置に掛止して使用する。
【００２２】
本願請求項３の発明
本願請求項３の発明では、上記請求項１又は２に記載の茶濾し袋において、掛止片を濾し袋本体とは別体のものを使用し、該掛止片の一端部を濾し袋本体の開口部の上辺部に接着させている。尚、請求項１の茶濾し袋を引用した場合には、掛止片は一方の上辺部に接着させ、請求項２の茶濾し袋を引用した場合には、２つの掛止片をそれぞれ対向する両上辺部に接着させる。
【００２３】
掛止片と濾し袋本体との接着は、茶濾し袋の製造工程中の適宜段階において例えば熱溶着によって行うことができる。
【００２４】
ところで、濾し袋本体部分には、茶葉類エキスを抽出する関係で耐水性及び水透過性を有する不織布（材料としては高価である）が使用されているが、掛止片部分は熱湯中に浸からないので特に耐水性及び水透過性を必要としない（不織布でなくてもよい）。
【００２５】
そして、本願請求項３のように、掛止片を濾し袋本体とは別体にしたものでは、該掛止片として例えば紙やプラスチックフイルム等の安価で且つ不織布にない機能（例えば「腰」が強いもの、不透水のもの等）をもった材料を使用することができる。尚、この請求項３の茶濾し袋におけるその他の構成は、上記請求項１又は２と同じである。
【００２６】
本願請求項４の発明
本願請求項４の発明では、上記請求項１から３のいずれか１項に記載の茶濾し袋において、掛止片の外面側に、該掛止片を抽出容器の口縁部に接着させる剥離紙付き接着剤層を付着させている。尚、この剥離紙付き接着剤層は、比較的小面積のものでよい。
【００２７】
この剥離紙付き接着剤層は、ホットメルト（接着剤層となる）を付着させた上に剥離紙を貼付させたものでもよく、あるいは剥離紙付き両面接着片を使用したものでもよい。尚、接着剤層としてホットメルトを付着させる場合には、掛止片が不織布であると接着剤（ホットメルト）が生地（不織布）を透過するが、上記請求項３のように掛止片を濾し袋本体とは別体にしたものでは該掛止片に不透水材料（紙又はプラスチックフイルム）を使用することにより、接着剤透過の問題を解決できる。
【００２８】
この請求項４の茶濾し袋では、濾し袋本体内に茶葉類を収容して抽出容器に装着する際に、掛止片の剥離紙付き接着剤層から剥離紙を剥がし（接着剤層を露出させる）、接着剤層を抽出容器の口縁部外面に接着させることで、掛止片を抽出容器口縁部外面に安定姿勢で掛止させることができる。尚、この請求項４の茶濾し袋におけるその他の機能は、上記請求項１〜３と同じである。
【００２９】
本願請求項５の発明
本願請求項５の発明では、上記請求項１から３のいずれか１項に記載の茶濾し袋において、掛止片に、該掛止片を急須のような抽出容器の注口又は持ち手等の突出部に引っ掛け得るスリット又は穴状の引掛部を形成している。
【００３０】
この引掛部は、予め掛止片の適所に、両端を残して長尺直線状のスリットを入れたものや所定大きさの穴を開口させたものが使用可能である。又、該引掛部（スリットや穴）は、ミシン目で形成しておいて、使用時に該ミシン目を切断して引っ掛け用の開口（スリット又は穴）を形成するようにしてもよい。尚、この引掛部（スリット又は穴）は、茶濾し袋の製造段階で掛止片に直接形成できる。
【００３１】
この請求項５の茶濾し袋では、濾し袋本体内に茶葉類を収容して抽出容器に装着する際に、掛止片の引掛部（スリット又は穴）を抽出容器（急須）の突出部（注口又は持ち手）に引っ掛けることで、掛止片を抽出容器に安定姿勢で掛止させることができる。
【００３２】
ところで、小型の急須では、突出部となる注口と持ち手とが急須中心から角度９０°の方向に指向している。他方、上記請求項２のように掛止片を対向する両上辺部にそれぞれ設けたものにおいて、この請求項５のように各掛止片にそれぞれ引掛部（突出部引っ掛け用）を設けても、その両引掛部を急須の両突出部（注口と持ち手が角度９０°の方向に指向している）に同時に引っ掛けることはできないが、その場合はいずれか一方の掛止片の引掛部を一方の突出部に引っ掛け、他方の掛止片は急須の口縁部外側に掛止させるだけでよい。尚、この請求項５の茶濾し袋におけるその他の機能は、上記請求項１〜３と同じである。
【発明の効果】
【００３３】
本願請求項１の発明の効果
この請求項１の発明の茶濾し袋は、濾し袋本体の開口部の一方の上辺部に、抽出容器の口縁部外側に掛止される所定長さの掛止片を連続して形成しているので、該掛止片を抽出容器の口縁部外側に掛止させることで、濾し袋本体の開口部及び収容部を大きく拡げた状態で茶葉類入り茶濾し袋を抽出容器に装着できる。
【００３４】
従って、この請求項１の茶濾し袋では、抽出容器内において濾し袋本体内の茶葉類から茶葉類エキスを抽出する際に、濾し袋本体の収容部内が茶葉類を十分に膨潤化させ得る容積を確保できるので、茶葉類エキスの抽出効率を向上させることができるという効果がある。尚、このように茶葉類エキスの抽出効率が向上すると、抽出時間が短かくて済み且つ濾し袋本体内に収容する茶葉類の量を節約できる。
【００３５】
本願請求項２の発明の効果
この請求項２の発明の茶濾し袋は、濾し袋本体の開口部の対向する両上辺部に、それぞれ抽出容器の口縁部外側に掛止される所定長さの掛止片を連続して形成しているので、該両掛止片を抽出容器の口縁部外側の対向位置にそれぞれ掛止させることで、茶葉類入り茶濾し袋を抽出容器に装着できる。
【００３６】
このように、対向する両掛止片をそれぞれ抽出容器の口縁部に掛止すると、茶葉類入り濾し袋本体部分が抽出容器内で傾くことがなく、しかも濾し袋本体の開口部を強制的に開放させた姿勢に維持できる。
【００３７】
従って、この請求項２の茶濾し袋では、上記請求項１の効果に加えて、茶葉類入り茶濾し袋の装着状態を一層安定させることができるとともに、両掛止片により開口部及び濾し袋本体内を大きく開放させた姿勢に維持できる（茶葉類の抽出効率が一層良好になる）という効果がある。
【００３８】
本願請求項３の発明の効果
この請求項３の発明は、上記請求項１又は２の茶濾し袋において、掛止片を濾し袋本体（不織布製）とは別体のものを使用しているので、該掛止片の材料として例えば紙やプラスチックフイルム等の安価で不透水なものや「腰」のあるものを使用できる。
【００３９】
従って、この請求項３の茶濾し袋では、上記請求項１又は２の効果に加えて、掛止片の材料として、用途に応じた適宜のものを選択できるという効果がある。
【００４０】
本願請求項４の発明の効果
この請求項４の発明は、上記請求項１〜３のいずれか１項の茶濾し袋において、掛止片の外面側に、該掛止片を抽出容器の口縁部に接着させる剥離紙付き接着剤層を付着させているので、茶葉類入り茶濾し袋を抽出容器に装着する際に、接着剤層を抽出容器の口縁部外面に接着させることで掛止片を抽出容器の口縁部外面に掛止させることができる。
【００４１】
従って、この請求項４の茶濾し袋では、上記請求項１〜３の効果に加えて、掛止片に設けた剥離紙付き接着剤層により、茶葉類入り茶濾し袋を抽出容器に対して安定姿勢で確実に装着することができるという効果がある。
【００４２】
本願請求項５の発明の効果
この請求項５の発明は、上記請求項１〜３のいずれか１項の茶濾し袋において、掛止片に、該掛止片を急須のような抽出容器の注口又は持ち手等の突出部に引っ掛け得る引掛部（スリット又は穴）を形成しているので、茶葉類入り茶濾し袋を抽出容器に装着する際に、該引掛部を抽出容器の突出部に引っ掛けることで掛止片を抽出容器口縁部外面に掛止させることができる。
【００４３】
従って、この請求項５の茶濾し袋では、上記請求項１〜３の効果に加えて、掛止片に設けた引掛部により、茶葉類入り茶濾し袋を抽出容器に対して安定姿勢で確実に装着することができるという効果がある。
【００４４】
又、この請求項５の茶濾し袋の場合は、掛止片の引掛部（スリット又は穴）を、茶濾し袋の製造段階で直接形成できるので、上記請求項４の剥離紙付き接着剤層のように別部材を付着させるという繁雑な製造工程が不要となる。
【実施例】
【００４５】
以下、図１〜図１７を参照して本願のいくつかの実施例を説明すると、図１〜図５には第１実施例の茶濾し袋、図６及び図７には第２実施例の茶濾し袋、図８〜図９には第３実施例の茶濾し袋、図１０には第４実施例の茶濾し袋、図１１〜図１３には第５実施例の茶濾し袋、図１４〜図１５には第６実施例の茶濾し袋、図１６〜図１７には第７実施例の茶濾し袋、がそれぞれ示されている。
【００４６】
図１〜図５の第１実施例
図１及び図２に示す第１実施例の茶濾し袋は、耐水性及び水透過性を有する不織布製の濾材を使用している。そして、この茶濾し袋は、表材１１と裏材１２とを底部１３が連続する状態で折返し、その左右各側縁部１４，１４を熱溶着（符号１５，１５で示す梨地部分）して正面視矩形の濾し袋本体１を形成するとともに、表材１１（裏材１２でも可）の上辺部に所定長さの掛止片２を一体に連続させて構成されている。濾し袋本体１の大きさは、特に限定するものではないが、左右幅が９０〜１００mm、上下高さが７０〜８０mm程度のものが使用されている。尚、図２においては、作図上、濾材の厚さをかなり厚く表示しているが、濾材の厚さは実際には１本の線で表す程度のものである。
【００４７】
濾し袋本体１の上辺部には、ほぼ全幅に亘る長さの開口部１６が形成されている。濾し袋本体１の底部１３はガセット折りされていて、表材１１と裏材１２間の収容部１７を図４（Ｂ）に示すように比較的大容積に膨らませ得るようにしている。裏材１２の上辺部には補強用の内折り部１８が設けられている。
【００４８】
表材１１の上辺部に連続させた掛止片２は、図４（Ｃ）及び図５に示すように、抽出容器（図示例では急須）Ｙの口縁部外面Ｙａに掛止してこの茶濾し袋を支持させるためのものである。この掛止片２の大きさは、特に限定するものではないが、表材１１の左右幅と同幅（９０〜１００mm）で、延出長さが３５〜４０mm程度に形成されている。そして、この掛止片２は、出荷段階及び保管段階では図１及び図２に実線図示するように表材１１の外面に沿って折畳んでおく一方、使用時には図１及び図２に鎖線図示（符号２′）するように濾し袋本体１の開口部１６の上方に立ち起こすことができるようになっている。
【００４９】
この第１実施例の茶濾し袋には、掛止片２の外面側（表材１１の外面と同一面側）に、該掛止片２を抽出容器Ｙの口縁部外面Ｙａに接着させる剥離紙付き接着剤層３を付着させている。この剥離紙付き接着剤層３は、この第１実施例では剥離紙３１で被覆した両面接着片３２を使用し、該剥離紙付き両面接着片３を掛止片２の外面側（表材１１の外面と同一面側）の先端寄り中央部に貼着している。尚、この剥離紙付き両面接着片３の大きさは、特に限定するものではないが、０.５〜１cm２程度の比較的小さいものでよい。
【００５０】
この第１実施例の茶濾し袋は、所定幅（例えば２３０mm程度）の帯状原紙から、図３に示すように折畳み工程Ａ、両面接着片貼付工程Ｂ、表裏接着工程Ｃ、掛止片折返し工程Ｄ、製品切離し工程Ｅを経て製造される。尚、帯状原紙は、ロール状に巻回したものから順次巻解いて供給される。又、上記各加工工程Ａ〜Ｅにおいて、（ａ）に示す図はそれぞれ平面視であり、（ｂ）に示す図はそれぞれ当該各（ａ）図の縦断面視である。
【００５１】
図３の各加工工程Ａ〜Ｅについて以下に説明する。
【００５２】
折畳み工程Ａでは、帯状原紙を表材１１と裏材１２と底部１３と内折り部１８とを有する濾し袋本体１Ａの形状に折畳む。このとき、表材１１に連続する掛止片２部分は、濾し袋本体１の高さ幅から外方に突出する状態で延出させておく。
【００５３】
両面接着片貼付工程Ｂでは、剥離紙付き両面接着片３を掛止片２の先端部寄り位置に順次製品ピッチ間隔で貼付する。尚、この剥離紙付き両面接着片３は、図３の両面接着片貼付工程Ｂの（ａ）図において、掛止片２の下面側に貼付される。
【００５４】
表裏接着工程Ｃでは、濾し袋本体部分１Ａ（掛止片２を除いた表材１１と裏材１２と底部１３と内折り部１８とが重合する範囲）を近接させた２本１組の熱溶着部１５，１５で製品ピッチ間隔ごとに順次熱溶着させる。このとき、製品の左右両端部となる２つ熱溶着部１５，１５の間の中央部に、先に貼着した剥離紙付き両面接着片３が位置するように各熱溶着部の位置を決定する。尚、この表裏接着工程Ｃと両面接着片貼付工程Ｂとは、工程順を前後逆にしてもよい。
【００５５】
掛止片折返し工程Ｄでは、熱溶着部１５，１５を形成した後、掛止片２部分を表材１１の外面に沿うように折返す。尚、他の実施例では、掛止片折返し工程Ｄを行わないで、掛止片２部分を濾し袋本体１部分から外方に延出させたまま製品とすることができる。
【００５６】
製品切離し工程Ｅでは、２本１組の熱溶着部１５，１５の間を順次切断して製品（茶濾し袋）を切離す。尚、切離された各茶濾し袋は、所定枚数ずつ積層した後、包装して製品化される。
【００５７】
この第１実施例の茶濾し袋は、図４及び図５に示すようにして使用される。使用前は図４（Ａ）に示すように掛止片２を折返した扁平状態（実際には極薄状態）となっているが、使用時には、まず掛止片２を鎖線図示（符号２′）するように開口部１６の上方に立ち起こしておく。尚、掛止片２が当初から開口部１６の上方に延出されているものでは、該掛止片２の立ち起こし作業は不要である。
【００５８】
次に、図４（Ｂ）に示すように濾し袋本体１の内部（収容部１７）を膨らませて収容部１７に所要量の茶葉類Ｐを収容する。茶葉類Ｐを収容部１７に収容する際には、この茶濾し袋を掛止片２が下側になる姿勢で若干傾斜させると、該掛止片２を茶葉類収容用の受けガイドとして利用することができる。
【００５９】
掛止片２に貼着している剥離紙付き両面接着片３の剥離紙３１は、図４（Ｂ）の状態で剥離させるようにしているが、この剥離紙３１の剥離は、図４の（Ａ）〜（Ｃ）のいずれかの工程中に行うことができる。
【００６０】
次に、図４（Ｂ）に示す茶葉類入り茶濾し袋の掛止片２部分を摘まんで、図４（Ｃ）に示すように茶葉類入り濾し袋本体１部分を抽出容器Ｙ内に落とし込む。このとき、濾し袋本体１の収容部１７及び開口部１６は、できるだけ大きく拡げておく。
【００６１】
続いて、掛止片２を図４（Ｃ）に鎖線図示（符号２′）するように抽出容器口縁部の外側に折り曲げて、その掛止片２′の外面に露出している接着剤層３２′を抽出容器Ｙの口縁部外面Ｙａに貼着させる。この状態では、図４（Ｃ）及び図５に示すように、掛止片（２′，２）が抽出容器の口縁部外面Ｙａに接着剤層（３２′，３２）で接着されているので、茶葉類入り茶濾し袋が安定姿勢で支持（装着）されている。又、この装着状態では、
図２０に示す従来例のように開口部１６を狭める（折返し蓋１９が開口部１６を狭めている）ものがないので、濾し袋本体１の収容部１７及び開口部１６が大きく開放された状態で維持されている。
【００６２】
そして、抽出容器Ｙの開口から熱湯を注ぎ、濾し袋本体１内の茶葉類Ｐを熱湯Ｗ中に浸す。このとき、濾し袋本体１の開口部１６が大きく開放されたままであるが、濾し袋本体１は縦向き姿勢に維持されているので、濾し袋本体１内の茶葉類Ｐが開口部１６から溢れ出ることがない。
【００６３】
又、図４（Ｃ）及び図５に示す茶葉類入り茶濾し袋の装着状態では、濾し袋本体１の収容部１７の容積が大きい状態に維持されているので、抽出容器Ｙ内の熱湯Ｗ中に浸かっている茶葉類Ｐが濾材（表材表材、裏材１２）で圧迫されることがなく、従って茶葉類Ｐが水分を吸収して十分に膨潤化し得る状態になっている。そして、茶葉類Ｐが図４（Ｃ）に鎖線図示（符号Ｐ′）あるいは図５に示すように十分に膨潤化すると、該茶葉類（Ｐ′，Ｐ）に対する熱湯Ｗの接触面積が広くなり、茶葉類エキスの抽出効率が良好になる。
【００６４】
このように、茶葉類エキスの抽出効率が良くなると、短時間で且つ高濃度の茶葉類エキスを抽出できる。
【００６５】
尚、この実施例では、抽出容器Ｙとして急須を採用しているが、他の実施例では抽出容器に湯飲みコップを使用することができる。その場合は、茶葉類入り濾し袋本体１部分を湯飲みコップ内に落とし込み、掛止片２の接着剤層３２を湯飲みコップの口縁部外面に接着させる。
【００６６】
図６及び図７の第２実施例
図６及び図７に示す第２実施例の茶濾し袋は、上記第１実施例の茶濾し袋において、掛止片２として濾し袋本体１部分とは別体のものを使用し、該掛止片２の一端部２１を表材１１の上辺部に接着させている。
【００６７】
掛止片２の一端部２１と濾し袋本体１（表材１１）との接着は、茶濾し袋の製造工程中の適宜段階において例えば熱溶着によって行うことができる。
【００６８】
ところで、濾し袋本体１部分には、茶葉類エキスを抽出する関係で耐水性及び水透過性を有する不織布（材料としては高価である）が使用されているが、掛止片２部分は熱湯中に浸からないので特に耐水性や水透過性を必要としない（不織布でなくてもよい）。
【００６９】
そして、この第２実施例のように、掛止片２を濾し袋本体１とは別体にしたものでは、該掛止片２として例えば紙やプラスチックフイルム等の安価で且つ不織布にない機能（例えば「腰」が強いもの、不透水のもの等）をもった材料を使用することができる。尚、掛止片２として紙製のものを使用する場合には、該掛止片（紙製）２の接着面に熱溶融樹脂をコーティングしたものを使用すると濾し袋本体１に対して確実に熱溶着させることができる。
【００７０】
又、掛止片２に紙やプラスチックフイルム等の不透水材料を使用したものでは、該掛止片２に剥離紙付き接着剤層３を設ける場合に、接着剤層３２としてホットメルトのような粘液性接着剤を使用しても、該接着剤が掛止片２の生地を透過しない。従って、掛止片２に剥離紙付き接着剤層３を設けるのに、剥離紙付き両面接着片の貼着以外の方法を用いることができる。
【００７１】
尚、この第２実施例の茶濾し袋におけるその他の構成及び機能は、上記第１実施例のものと同じであるので、その説明を援用する。
【００７２】
図８及び図９の第３実施例
図８及び図９に示す第３実施例の茶濾し袋は、上記第１実施例における掛止片２を抽出容器Ｙに掛止するするための掛止手段の変形例を示している。
【００７３】
この第３実施例の茶濾し袋では、図８に示すように掛止片２の先端寄り位置にスリット形成用のミシン目４１からなる引掛部４を設けている。
【００７４】
この第３実施例の茶濾し袋に採用されている引掛部４は、掛止片２の先端寄り位置に幅方向に長い直線状のスリットを形成するためのもので、掛止片２の左右両端部に所定小長さ（例えば５〜１０mm程度ずつ）の非切断部を残して長尺直線状のミシン目４１を形成している。ミシン目４１部分と掛止片２の先端縁との間には、例えば５〜１０mm程度の幅の細帯片４２が形成されている。尚、この引掛部４となるミシン目４１は、茶濾し袋の製造段階で形成できる。
【００７５】
そして、この引掛部４は、ミシン目４１部分を切断すると、図８に鎖線図示するように掛止片２′の先端寄り部分にミシン目部分が開放（開口４３）された引掛部４′が形成される。尚、ミシン目４１部分を切断した状態（図８に鎖線図示する引掛部４′の状態）では、細帯片４２′と掛止片２′の基端側との間に左右に長い直線状の開口４３が形成されているが、図８の鎖線図示状態では、解り易くするために開口４３の上下縁部を前後に撓ませて該開口４３を開放させている。
【００７６】
この第３実施例の茶濾し袋を使用する抽出容器Ｙとしては、図９に示すように注口Ｙｂや持ち手Ｙｃ等の突出部を有した急須Ｙが採用される。そして、この第３実施例の茶濾し袋を使用するには、濾し袋本体１内に茶葉類Ｐを収容し、引掛部４のミシン目４１を切断して開口４３を開放し（図８の鎖線図示状態）、図９に示すように細帯片４２を急須Ｙの注口Ｙｂ（持ち手Ｙｃでも可）に引っ掛けた後、茶葉類入り濾し袋本体１を急須Ｙの開口内に落とし込む。
【００７７】
この図９の状態では、掛止片２の引掛部４が急須Ｙの注口Ｙｂの下面側に引っ掛けられているので、茶葉類入り濾し袋本体１が急須内にずり落ちることがない（安定姿勢で支持されている）。
【００７８】
この第３実施例の茶濾し袋では、掛止片２を抽出容器（急須Ｙ）の口縁部外側に掛止するための掛止手段として、掛止片２にスリット状の引掛部４（ミシン目４１）を形成しているが、この引掛部４（ミシン目４１）は茶濾し袋の製造段階において単にミシン目加工をするだけでよいので、該引掛部４の加工は簡単に行える。
【００７９】
尚、第３実施例（図８）の茶濾し袋のその他の構成及び機能は、上記第１実施例のものと同じであるので、その説明を援用する。
【００８０】
図１０の第４実施例
図１０に示す第４実施例の茶濾し袋は、上記第３実施例における掛止片２に形成した引掛部４の変形例を示したものである。この第４実施例では、引掛部５として、掛止片２に円形のミシン目５１を形成している。
【００８１】
この円形のミシン目５１で区画される範囲は、図９に示す急須Ｙの注口Ｙｂや持ち手Ｙｃの太さよりやや大きいものであり、鎖線図示するようにミシン目５１を切断してその内部の切除片５２を除去（符号５２′）することで、そこに円形の穴５３を形成できるようにしている。尚、この第４実施例の引掛部５（ミシン目５１）も、茶濾し袋の製造段階においてミシン目加工により形成できる。
【００８２】
そして、この第４実施例の茶濾し袋も、上記第３実施例と同様にミシン目５１を切断した後、その穴５３を急須Ｙ（図９）の注口Ｙｂや持ち手Ｙｃに引っ掛けることによって茶葉類入り濾し袋本体を抽出可能状態で支持できる。
【００８３】
尚、第４実施例（図１０）の茶濾し袋のその他の構成及び機能は、上記第１実施例又は第３実施例のものと同じであるので、それらの説明を援用する。
【００８４】
図１１〜図１３の第５実施例
図１１〜図１３に示す第５実施例の茶濾し袋は、濾し袋本体１の開口部１６の対向する両上辺部に、それぞれ抽出容器の口縁部外側に掛止される掛止片２，２を連続して形成している。即ち、この第５実施例の茶濾し袋は、図１〜図２の第１実施例の茶濾し袋における掛止片２を開口部１６の対向する両上辺部にそれぞれ連続させたものである。
【００８５】
この第５実施例では、各掛止片２，２は、濾し袋本体１と同材料（不織布）で表材１１及び裏材１２の各上辺部からそれぞれ矩形形状に連続させている。尚、この第５実施例では、第１実施例における内折り部１８はない。
【００８６】
各掛止片２，２の外面側（表材１１及び裏材１２の各外面と同一面側）には、それぞれ第１実施例（図１、図２）と同様な剥離紙付き接着剤層３，３を付着させている。尚、この第５実施例の茶濾し袋におけるその他の構成は、第１実施例（図１、図２）のものと同じである。
【００８７】
そして、この第５実施例の茶濾し袋は、次のように使用される。即ち、濾し袋本体１を広げてその内部に茶葉類を収容し、各掛止片２，２のそれぞれ両面接着片３，３から剥離紙３１を剥がして接着剤層３２を露出させた後、図１３に示すように茶葉類入り濾し袋本体１部分を抽出容器（急須）Ｙ内に落とし込み、両掛止片２，２の各接着剤層３２，３２を容器開口縁の外側に接着させ、急須Ｙ内に熱湯を注入する。
【００８８】
この状態（図１３）では、各掛止片２，２が容器開口縁の対向位置に接着されているので、濾し袋本体１の収容部１７が大きく開放された状態で安定姿勢で維持されており、内部の茶葉類エキスの抽出作用が一層良好となる。
【００８９】
図１４〜図１５の第６実施例
図１４〜図１５の第６実施例の茶濾し袋では、濾し袋本体１の表材１１と裏材１２の各外面にそれぞれ細幅のテープ片２２からなる掛止片２，２を貼着している。
【００９０】
この各テープ片２２，２２は、上下に２つ折りした内側片２２ａと外側片２２ｂとを有している。各内側片２２ａ，２２ａは、それぞれ表材１１及び裏材１２の上辺部寄り位置に接着剤層２３（図１５）で比較的強固に接着させている。各外側片２２ｂ，２２ｂの内面には、接着剤層２４が塗布されており、通常は各外側片２２ｂ，２２ｂをそれぞれ接着剤層２４で内側片２２ａ，２２ａの外面に接着（剥離自在）させている。そして、各外側片２２ｂ，２２ｂは、内側片２２ａから剥離させると、それぞれ鎖線図示（符号２２ｂ′）するように基端部が内側片２２ａに連続した状態で上下自由状態になる。尚、各外側片２２ｂ，２２ｂの先端部には若干長さの無接着部分（ツマミ部）２２ｃがある。
【００９１】
尚、この第６実施例の茶濾し袋における濾し袋本体１部分の構成は、概ね第１実施例（図１、図２）のものと同じである。
【００９２】
そして、この第６実施例（図１４、図１５）の茶濾し袋は、各テープ片（掛止片）２２，２２の外側片２２ｂ，２２ｂを内側片２２ａから剥がして、該各外側片２２ｂ，２２ｂに塗布している接着剤層（図１５の符号２４′）を抽出容器口縁部の外側に接着させることにより、茶葉類入り茶濾し袋を抽出容器に装着することができる。この場合も、濾し袋本体１の両上辺部が大きく開放された状態で維持される。
【００９３】
ところで、掛止片２が例えば図１１〜図１３の第５実施例のように左右に広幅であると、抽出容器口縁部（円形）に掛止するときに、該掛止片２の左右外側部寄り位置に皺ができて、掛止作業がしにくいことがあるが、この第６実施例のように各掛止片２，２が細幅のテープ片２２であるとと抽出容器の口縁部外側に接着させる作業を容易に行える。
【００９４】
図１６〜図１７の第７実施例
図１６〜図１７に示す第７実施例の茶濾し袋は、図１１〜図１３の第５実施例の変形例を示している。この第７実施例の茶濾し袋では、各掛止片２，２として、幅方向中央部（符号２５）を所定幅だけ残してその両側片部分を大きく切除したものを採用している。尚、この各掛止片２，２にも、中央突出部２５，２５の先端寄りにそれぞれ小面積の両面接着片３，３が取付けられている。
【００９５】
又、この第７実施例の茶濾し袋には、表材１１及び裏材１２の各外面に、各掛止片２，２の中央突出部２５，２５を不使用状態（濾し袋本体の外面に沿う折畳み状態）で保持するための細幅の止め帯２６，２６がそれぞれ取付けられている。この各止め帯２６，２６は、折畳み状態の中央突出部２５を所定長さだけ差込み得る位置で、該止め帯２６の両端部をそれぞれ濾し袋本体１の各側縁部１４，１４の熱溶着部１５，１５で固定して、止め帯中央部を濾し袋本体１の外面から遊離し得る状態で取付けている。そして、図１６及び図１７に実線図示するように、各中央突出部２５，２５を、止め帯２６と濾し袋本体外面の間に差込むことにより、各掛止片２，２を濾し袋本体外面に接合させた状態で保持できるようになっている。尚、各中央突出部２５，２５は、使用時にはそれぞれ止め帯２６から抜き外して、鎖線図示（符号２５′）するように上方に立ち上げることができる。
【００９６】
この第７実施例の茶濾し袋では、掛止片２，２の左右側片部分を大きく切除している（中央突出部２５の幅が狭い）ので、該掛止片２，２を抽出容器口縁部に掛止する作業が容易に行える。又、濾し袋本体１の表裏各側にそれぞれ止め帯２６，２６を設けているので、不使用時には各掛止片２，２の中央突出部２５，２５部分をそれぞれ止め帯２６，２６で押さえておくことができ、該中央突出部２５がビラビラするのを防止できるという機能を有している。
【００９７】
尚、本願では、上記各実施例のほかに、上記各実施例の掛止片の構成を適宜に組み合わせて使用するすることができる。例えば、
(1) 第１実施例（図１〜図５）又は第２実施例（図６、図７）の１つの掛止片２として、第６実施例（図１４、図１５）のテープ片２２（１つだけ）や、第７実施例（図１６、図１７）の中央突出部２４（１つだけ）を有した形状のものに変更すること、
(2) 第５実施例（図１１〜図１３）の２つの掛止片２，２として、第２実施例（図６、図７）に示すように濾し袋本体１とは別材料のものを使用すること、
等が実施可能である。
【図面の簡単な説明】
【００９８】
【図１】本願第１実施例の茶濾し袋の斜視図である。
【図２】図１のII−II拡大断面図である。
【図３】図１の茶濾し袋の製造工程図である。
【図４】図１の茶濾し袋の使用方法説明図である。
【図５】図４（Ｃ）の状態の平面図である。
【図６】本願第２実施例の茶濾し袋の斜視図である。
【図７】図６のＶII−ＶII拡大断面図である。
【図８】本願第３実施例の茶濾し袋の斜視図である。
【図９】図８の茶濾し袋の使用状態を示す平面図である。
【図１０】本願第４実施例の茶濾し袋の斜視図である。
【図１１】本願第５実施例の茶濾し袋の斜視図である。
【図１２】図１１のＸII−ＸII拡大断面図である。
【図１３】図１１の茶濾し袋の使用状態を示す平面図である。
【図１４】本願第６実施例の茶濾し袋の斜視図である。
【図１５】図１４のＸＶ−ＸＶ拡大断面図である。
【図１６】本願第７実施例の茶濾し袋の斜視図である。
【図１７】図１６のＸVII−ＸVII拡大断面図である。
【図１８】従来の茶濾し袋の斜視図である。
【図１９】図１８の茶濾し袋の使用方法説明図である。
【図２０】図１９（Ｃ）の茶葉類入り茶濾し袋から茶葉類エキスを抽出するときの説明図である。
【符号の説明】
【００９９】
１は濾し袋本体、２は掛止片、３は剥離紙付き両面接着剤層、４，５は引掛部、１１は表材、１２は裏材、１３は底部、１６は開口部、１７は収容部、２１は掛止片の一端部（接着部）、２２はテープ片、２４は中央突出部、３１は剥離紙、３２は接着剤層、４１はミシン目、４３は開口、５１はミシン目、５３は穴、Ｐは茶葉類、Ｙは抽出容器（急須）、Ｙａは口縁部外面、Ｙｂは注口、Ｙｃは持ち手である。
【図１】
2007283084.tif 000003
【図２】
2007283084.tif 000004
【図３】
2007283084.tif 000005
【図４】
2007283084.tif 000006
【図５】
2007283084.tif 000007
【図６】
2007283084.tif 000008
【図７】
2007283084.tif 000009
【図８】
2007283084.tif 000010
【図９】
2007283084.tif 000011
【図１０】
2007283084.tif 000012
【図１１】
2007283084.tif 000013
【図１２】
2007283084.tif 000014
【図１３】
2007283084.tif 000015
【図１４】
2007283084.tif 000016
【図１５】
2007283084.tif 000017
【図１６】
2007283084.tif 000018
【図１７】
2007283084.tif 000019
【図１８】
2007283084.tif 000020
【図１９】
2007283084.tif 000021
【図２０】
2007283084.tif 000022